(57)【要約】【課題】両側のパーフォレーションを監視して、その破損を高精度且つ比較的早い段階で検出することができるフィルム搬送ユニットを提供すること。【解決手段】写真フィルムを搬送させるための搬送経路Ｒ１と、その搬送経路Ｒ１の経路途上に設けられた処理用開口部Ｋ１と、を備えるフィルム搬送ユニットにおいて、処理用開口部Ｋ１よりも経路終端側における搬送経路Ｒ１の幅方向両側に、写真フィルムに形成されたパーフォレーションを検出するパーフォレーションセンサー２０を設けた。【選択図】図３
2005275317.tif 000002
【特許請求の範囲】
【請求項１】
写真フィルムを搬送させるための搬送経路と、その搬送経路の経路途上に設けられた処理用開口部と、を備えるフィルム搬送ユニットであって、
前記処理用開口部よりも経路終端側における前記搬送経路の幅方向両側に、写真フィルムに形成されたパーフォレーションを検出するパーフォレーションセンサーが設けられたことを特徴とするフィルム搬送ユニット。
【請求項２】
前記搬送経路が、第１写真フィルムを搬送させるための第１搬送経路と、第２写真フィルムを搬送させるための第２搬送経路とからなり、
前記第１写真フィルムまたは前記第２写真フィルムのいずれかを巻き取り収容する共通巻き取り部と、前記第１搬送経路および前記第２搬送経路が設けられた可動搬送ユニットと、前記第１搬送経路または前記第２搬送経路のいずれか一方を前記共通巻き取り部に接続するために、前記可動搬送ユニットをフィルム幅方向に移動させるユニット移動機構とを備え、
前記処理用開口部よりも経路終端側における、前記第１搬送経路および前記第２搬送経路の少なくとも一方の幅方向両側に、前記パーフォレーションセンサーが設けられた請求項１記載のフィルム搬送ユニット。
【請求項３】
前記パーフォレーションセンサーが、前記第１搬送経路または前記第２搬送経路の経路終端近傍に設けられた請求項２記載のフィルム搬送ユニット。
【請求項４】
前記写真フィルムを搬送させるフィルム搬送機構と、そのフィルム搬送機構を制御するための制御装置とを備え、前記共通巻き取り部に収容された前記第１写真フィルムまたは前記第２写真フィルムの端部が、前記パーフォレーションセンサーより経路終端側の経路上に配されるように制御された請求項２または３記載のフィルム搬送ユニット。
【請求項５】
前記パーフォレーションセンサーが発光部と受光部とを備える光センサーであり、その光軸が前記搬送経路の幅方向に対して傾斜しているととともに、
前記写真フィルムのベース面に対向する前記搬送経路の幅方向中央部に突設され、その写真フィルムの搬送に従動して回動可能に構成された矯正部材を備える請求項１〜４いずれかに記載のフィルム搬送ユニット。
【発明の詳細な説明】
【技術分野】
【０００１】
本発明は、写真フィルムを搬送させるための搬送経路を備え、その搬送経路の経路途上に処理用開口部およびパーフォレーションセンサーが設けられたフィルム搬送ユニットに関する。
【背景技術】
【０００２】
現像済み写真フィルムに形成されたコマ画像の読み取りを行う際、従来、フィルム搬送ユニットにより写真フィルムを搬送経路に沿って往復動させ、経路途上に設けられた処理用開口部を介して画像読み取り（スキャニング）を行っている。このような画像読み取りでは、往路搬送時にプレスキャニングと呼ばれる低解像度での画像読み取りが行われ、取得した画像データが画像処理作業などに用いられる。一方、復路搬送時には、本スキャニングと呼ばれる高解像度での画像読み取りが行われ、取得した画像データが最終仕上げ処理のために用いられる。搬送経路には、上記画像読み取りを正確且つ容易に行うため、写真フィルムに形成されたパーフォレーションを検出するためのパーフォレーションセンサー（光センサー）が設けられており、写真フィルムの存否、写真フィルムが一定速度で搬送されているか、または搬送すべりなどの異常が無いかを監視したり、コマ画像の位置を特定したりすることができる（下記特許文献１）。
【０００３】
また、１３５フィルム（３５ｍｍフィルム）とＡＰＳフィルム（２４０フィルム）の２種類の写真フィルムからコマ画像を読み取るために、２つの搬送経路を備えたフィルム搬送ユニットが知られている（下記特許文献２）。例えば、図７に示すフィルム搬送ユニットでは、１３５フィルム用の搬送経路Ｒ１と、ＡＰＳフィルム用の搬送経路Ｒ２とを備え、これらは可動搬送ユニット１００に一体的に設けられている。可動搬送ユニット１００はフィルム幅方向に沿って移動可能に構成されており、共通巻き取り部Ｍをいずれか一方の搬送経路と接続させる。図７では、共通巻き取り部Ｍが搬送経路Ｒ１と接続されている。
【０００４】
上記フィルム搬送ユニットでは、共通巻き取り部Ｍに接続させる搬送経路Ｒ１、Ｒ２の切り換えを可能とするため、その接続箇所に隙間Ｓが必然的に形成される。画像を読み取る際、プレスキャニングされた写真フィルムが共通巻き取り部Ｍに一旦巻き取られた後、図７（ｂ）の矢印方向に搬送されて本スキャニングが行われるが、図８に示すようなカットＣＵが写真フィルムＦに導入されていると、そのカットＣＵが隙間Ｓに引っ掛かり、搬送方向に沿った裂けを引き起こすことがある。
【０００５】
このようなカットＣＵは、主に写真フィルムを現像処理する際に導入される。現像処理では、図９に示すように、リーダ９０に２本の写真フィルムＦがスプライステープ９１により貼り付けられ、このリーダ９０により写真フィルムＦが現像処理装置内を案内されて現像処理が施される。現像終了後、はさみ等により写真フィルムＦを切断し、リーダ９０との切り離しを行う際、誤って写真フィルムＦに対してカットＣＵを入れてしまう場合がある。特に、現像処理完了後は、リーダ９０と共に多数の現像済み写真フィルムＦが垂直に吊るされて保持されているため、そのような状態で切断を行うと他の写真フィルムを間違えてカットしてしまうことがある。
【０００６】
カットＣＵによる不具合は、上述のように本スキャニング（復路搬送時）において引き起こされるため、予めカットＣＵをプレスキャニングの段階で検出することが好ましい。しかしながら、カットＣＵが写真フィルムのいずれの側に形成されるかは不明であるにも関わらず、パーフォレーションセンサーの上述の機能を果し得るためには、写真フィルムの片側のパーフォレーションの検出のみで十分であったため、従来、パーフォレーションセンサーは搬送経路の片側にのみ設けられており、写真フィルムの両側のパーフォレーションに対する監視を行うことができなかった。また、図８に示すように、カットＣＵが導入された写真フィルムＦはパーフォレーションＰＦの形状を確保しており、プレスキャニングでの検出が困難であった。なお、カットＣＵ以外の態様でパーフォレーションが破損している場合であっても、検出に支障を来たす場合は画像読み取りに影響を与えるため、監視を行う必要がある。
【０００７】
更に、パーフォレーションの検出に関する別問題として、ポジフィルムを検出対象とする際、そのポジフィルムの素抜け部（パーフォレーションが形成されていない部分）の透過率が高いことに起因して、パーフォレーションの検出時（透光）と非検出時（遮光）との判別が困難となり、検出精度が低下するという問題があった。
【特許文献１】特開２００１−３１２０１０号公報
【特許文献２】特開２００１−５１３５２号公報
【発明の開示】
【発明が解決しようとする課題】
【０００８】
本発明は上記実情に鑑みてなされたものであり、その課題は両側のパーフォレーションを監視して、その破損を高精度且つ比較的早い段階で検出することができるフィルム搬送ユニットを提供することである。
【課題を解決するための手段】
【０００９】
上記課題を解決するため本発明に係るフィルム搬送ユニットは、写真フィルムを搬送させるための搬送経路と、その搬送経路の経路途上に設けられた処理用開口部と、を備えるフィルム搬送ユニットであって、前記処理用開口部よりも経路終端側における前記搬送経路の幅方向両側に、写真フィルムに形成されたパーフォレーションを検出するパーフォレーションセンサーが設けられている。
【００１０】
本発明のフィルム搬送ユニットによれば、写真フィルムに形成されたパーフォレーションを検出するパーフォレーションセンサーが、搬送経路の幅方向両側に設けられていることにより、写真フィルムの両側のパーフォレーションを確実に監視することができ、パーフォレーションの破損による検出不良などを防止することができる。また、パーフォレーションセンサーが処理用開口部よりも経路終端側に設けられていることにより、プレスキャニング時に検出されなかったパーフォレーションの破損を、本スキャニングにおいて比較的早い段階で検出することができる。
【００１１】
上記において、前記搬送経路が、第１写真フィルムを搬送させるための第１搬送経路と、第２写真フィルムを搬送させるための第２搬送経路とからなり、前記第１写真フィルムまたは前記第２写真フィルムのいずれかを巻き取り収容する共通巻き取り部と、前記第１搬送経路および前記第２搬送経路が設けられた可動搬送ユニットと、前記第１搬送経路または前記第２搬送経路のいずれか一方を前記共通巻き取り部に接続するために、前記可動搬送ユニットをフィルム幅方向に移動させるユニット移動機構とを備え、前記処理用開口部よりも経路終端側における、前記第１搬送経路および前記第２搬送経路の少なくとも一方の幅方向両側に、前記パーフォレーションセンサーが設けられたものが好ましい。
【００１２】
上記構成のように、フィルム搬送ユニットが２種類の写真フィルムから画像読み取りを行うために２つの搬送経路を備え、それらを切り換えて共通巻き取り部に接続する構成である場合、その接続箇所に形成される隙間にパーフォレーションの破損部、特に前述したカットが引っ掛かり易く不具合を引き起こし得るため、本発明の構成が特に有用となり得る。
【００１３】
上記において、前記パーフォレーションセンサーが、前記第１搬送経路または前記第２搬送経路の経路終端近傍に設けられたものが好ましい。
【００１４】
上記構成により、パーフォレーションの破損部が搬送経路と共通巻き取り部との接続箇所の隙間に引っ掛かった際、速やかに検出することができる。
【００１５】
上記において、前記写真フィルムを搬送させるフィルム搬送機構と、そのフィルム搬送機構を制御するための制御装置とを備え、前記共通巻き取り部に収容された前記第１写真フィルムまたは前記第２写真フィルムの端部が、前記パーフォレーションセンサーより経路終端側の経路上に配されるように制御されたものが好ましい。
【００１６】
上記構成によれば、写真フィルムの経路始端側の端部が搬送経路と共通巻き取り部との接続箇所を通過しないため、その端部での引っ掛かりを防止することができる。また、共通巻き取り部に収容された写真フィルムを引き差して経路始端側に搬送する際に、パーフォレーションの破損を比較的早い段階で検出することができる。
【００１７】
上記において、前記パーフォレーションセンサーが発光部と受光部とを備える光センサーであり、その光軸が前記搬送経路の幅方向に対して傾斜しているととともに、前記写真フィルムのベース面に対向する前記搬送経路の幅方向中央部に突設され、その写真フィルムの搬送に従動して回動可能に構成された矯正部材を備えるものが好ましい。
【００１８】
パーフォレーションセンサーの光軸が搬送経路の幅方向に対して傾斜していることにより、ポジフィルムを検出対象とする際、素抜け部（パーフォレーションが形成されていない部分）の透過率が低下するため、パーフォレーションの検出時（透光）と非検出時（遮光）との判別が容易となり、パーフォレーションを精度良く検出することができる。また、写真フィルムは乳剤面を内側にしてカールする性質（クロスカール）があるため、光軸を傾斜させた場合、パーフォレーションの端部で遮光され易くなる傾向がある。そこで、上記構成により、矯正部材がカールした写真フィルムのベース面に当接して、写真フィルムの姿勢が矯正されるため、パーフォレーションの検出精度が確保される。しかも、矯正部材は写真フィルムの搬送に従動して回動可能に構成されているため、写真フィルムの搬送を阻害することがない。
【発明を実施するための最良の形態】
【００１９】
本発明に係るフィルム搬送ユニットの好適な実施形態を図面を用いて説明する。
【００２０】
＜写真処理システムの構成＞
図１は、本発明に係るフィルム搬送ユニットが用いられる写真処理システムの構成を示す模式図である。当該写真処理システムは、画像読取装置１（フイルムスキャナー）とプリンタプロセッサーＰＲとを備え、現像済み写真フィルムに形成されているコマ画像を読み取って、ペーパー（写真感光材料）に画像を焼付露光して写真プリントを作成する機能を有する。画像読取装置１は、照明光学系２と、撮像光学系３と、フィルム搬送ユニット４（フィルムキャリア）とを備えている。
【００２１】
照明光学系２は、フィルム搬送ユニット４によって搬送される写真フィルム（ネガフィルムやポジフィルム）に対して光を照射するために設けられる。照明光学系２は、光源部５と、調光フィルター６と、ミラートンネル７とを備えている。光源部５は、例えばハロゲンランプであり、赤（Ｒ）緑（Ｇ）青（Ｂ）の３色それぞれに対応する波長領域の光が含まれている。調光フィルター６は、光源部５からの放射光の色分布を必要に応じて整えるためのものである。従って、光源部５から照射される光は、調光フィルター６とミラートンネル７とによって、その色分布や強度分布が調整された後に、写真フィルムＦに照射される。
【００２２】
撮像光学系３は、ズームレンズを含むレンズユニット８と、写真フィルムＦを通過した光を受光するＣＣＤラインセンサー９（以下、ＣＣＤセンサーと省略する。）を備えている。レンズユニット８は、写真フィルムＦを通過した光をＣＣＤセンサー９上に結像させるために設けられる。なお、図１では、レンズユニット８として１枚のレンズのみが図示されているが、複数のレンズで構成されていても良い。
【００２３】
ＣＣＤセンサー９は、写真フィルムＦの搬送方向（図１の左右方向であり副走査方向に相当する。）に直交する方向（主走査方向）に沿って配置されたライン状のセンサーである。ここでＣＣＤセンサー９は、主走査方向つまり写真フィルムＦの幅方向と平行に配列された多数の画素（ピクセル）を有している。ＣＣＤセンサー９は、カラー画像データを取得するために、副走査方向上流側から下流側に沿って互いに所定間隔だけ離間して配置された３つのラインセンサー９ａ、９ｂ、９ｃを備えている。各ラインセンサー９ａ、９ｂ、９ｃの各撮像面には、Ｒ、Ｇ、Ｂの色分解フィルターのいずれかがそれぞれ取り付けられており、Ｒ、Ｇ、Ｂの各色に対応するように割り当てられている。つまり、赤色に対応するラインセンサー９ａの撮像面には写真フィルムＦを透過した光の赤色成分のみを通過させるカラーフィルタが、これと同様に、緑色に対応するラインセンサー９ｂの撮像面には緑色成分のみを通過させるカラーフィルタが、青色に対応するラインセンサー９ｃの撮像面には青色成分のみを通過させるカラーフィルタが取り付けられている。
【００２４】
データ処理部１０は、各ラインセンサー９ａ、９ｂ、９ｃの画素から出力される各画素信号をサンプルホールドすることにより、各画素信号を連続した画像信号にするとともに、この各画素信号を所定のビット数のデジタル信号に変換した後に、画像処理部１１に送出する。また、画像処理部１１は、オペレータにより入力された色・濃度の補正データに基づいた画像処理や、写真プリント作成のために必要とされる種々の画像補正処理を実行する機能を有する。画像処理部１１で画像処理が施されたコマ画像の画像データは、露光エンジン１３に転送される。
【００２５】
次に、プリンタプロセッサーＰＲの構成を説明する。ペーパーマガジンＭ１、Ｍ２には、写真感光材料であるペーパーがロールの形態で収容されている。ペーパーは、いずれか一方のペーパーマガジンＭ１、Ｍ２から長尺状に引き出され、ペーパーカッター１４によりプリントサイズにカットされる。カットされたペーパーは、振り分け搬送機構１５により１列から複列に搬送状態が切り替えられる。
【００２６】
露光エンジン１３は、画像処理部１１から転送されてきた画像データに基づいて、ペーパーに画像を焼付露光する。露光エンジン１３は、レーザーエンジン、ＰＬＺＴエンジン等の種々の構造のものを採用することができる。画像が焼付露光されたペーパーは、搬送機構１６により搬送されて現像処理部１７に送り込まれる。現像処理部１７にて現像処理が施され、乾燥処理部１８で乾燥処理が施された後、ペーパー排出部１９から仕上がりの写真プリントが装置外部に排出される。
【００２７】
＜フィルム搬送ユニットの構成＞
次にフィルム搬送ユニットの構成を説明する。本実施形態においてフィルム搬送ユニット４は、現像済み写真フィルム（ネガフィルムやポジフィルム）に形成されたコマ画像を読み取ってデジタルデータ化するための画像読取装置１（フィルムスキャナー）に用いられる。
【００２８】
図２では、１３５フィルム（前記第１写真フィルムに相当する。）を搬送させるための搬送経路Ｒ１（前記第１搬送経路に相当する。）と、ＡＰＳフィルム（前記第２写真フィルムに相当する。）を搬送させるための搬送経路Ｒ２（前記第２搬送経路に相当する。）とが平行に配置されている。搬送経路Ｒ１には１３５フィルムを挿入するためのフィルム挿入口３０が経路始端（図２の右端）に設けられ、更に搬送ローラ対３１（前記フィルム搬送機構に相当する。）が設けられている。搬送ローラ対３１は、駆動ローラと圧着ローラの組み合わせにより構成されており、不図示の電動モータからの駆動力により駆動ローラが回転駆動されるように構成されている。なお、可動搬送ユニット３５は、その本体構成として下部本体３５ａと上部本体３５ｂ（図２、３において不図示）とを有しており、上部本体３５ｂは下部本体３５ａに対して開閉可能に構成されている。なお、搬送ローラ対３１を構成する駆動ローラは下部本体３５ａに、圧着ローラは上部本体３５ｂに取り付けられている。
【００２９】
搬送経路Ｒ１の途上には、開口部Ｋ１（前記処理用開口部に相当する。）がフィルム幅方向に沿ったスリット状の開口として形成されている。ＣＣＤセンサー９もこれに対応したラインセンサーとなっており、開口部Ｋ１を介して１３５フィルムの画像を読み取ることができる。また、開口部Ｋ１よりも経路終端側における搬送経路Ｒ１の幅方向両側には、写真フィルムに形成されたパーフォレーション（孔）を検出するためのパーフォレーションセンサー２０が設けられている。本実施形態におけるパーフォレーションセンサー２０は光透過型センサーであり、後述するように、下部本体３５ａに設けられた発光部２２と、上部本体３５ｂに設けられた受光部２３とから構成されている。パーフォレーションセンサー２０は、経路終端近傍に設けられているものが好ましい。
【００３０】
搬送経路Ｒ２の途上には、開口部Ｋ１と同様に、開口部Ｋ２（前記処理用開口部に相当する。）がフィルム幅方向に沿ったスリット状の開口として形成されており、この開口部Ｋ２を介してＡＰＳフィルムに形成されたコマ画像を読み取ることができる。また、搬送経路Ｒ２にもフィルム搬送に用いる搬送ローラ対４１が設けられている。更に、ＡＰＳフィルムを収容したカートリッジが装填されるカートリッジ装填部４０と、ＡＰＳフィルムに形成された磁気情報を読み取るための磁気ヘッド４２とが設けられている。ＡＰＳフィルムの場合、パーフォレーションはフィルム幅方向片側にのみ形成されているため、搬送経路Ｒ２の開口部Ｋ２よりも経路終端側には、搬送経路Ｒ２の幅方向片側にのみパーフォレーションセンサー２０が設けられている。
【００３１】
搬送経路Ｒ１と搬送経路Ｒ２とはユニット化されており、可動搬送ユニット３５を構成している。フィルムを搬送させるための搬送機構もこの可動搬送ユニット３５に搭載されている。可動搬送ユニット３５は、図２に示す矢印Ａ、Ｂ方向（フィルム幅方向に相当する。）に沿って移動可能に構成されている。可動搬送ユニット３５の移動機構（前記ユニット移動機構に相当する。）として、電動モータ３７とネジ送り機構３８とを備えており、さらに一対のガイドレール３６が設けられている。従って、電動モータ３７を駆動することで、可動搬送ユニット３５を矢印Ａ、Ｂ方向に移動させることができる。なお、可動搬送ユニット３５の移動機構としては、本実施形態に限定されるものではなく他の機構を採用してもよい。例えば、ネジ送り機構３８に代えてギヤによる減速機構を用いてもよく、手動で可動搬送ユニット３５を移動させる構成でもよい。
【００３２】
共通巻き取り部Ｍは、搬送経路Ｒ１、Ｒ２に沿って搬送されてきた写真フィルムを一時的に巻き取り収容する。巻き取り収容が完了した後、写真フィルムは共通巻き取り部Ｍから引き出されて逆方向に搬送される。共通巻き取り部Ｍは、１３５フィルムとＡＰＳフィルムの巻き取り用として共通に使用される。なお、図２は１３５フィルムの画像を読み取る状態を示している。
【００３３】
図３（ａ）は、共通巻き取り部Ｍおよび搬送経路Ｒ１の平面模式図であり、図３（ｂ）は、そのａ−ａ矢視における断面模式図である。共通巻き取り部Ｍは、写真フィルムを巻きつけるための巻き取り用ドラム５０（以下、単にドラム５０と呼ぶ。）と、写真フィルムをドラム５０に対して圧接させるためのフィルム押さえ機構と、巻き取り部Ｍに挿入される写真フィルムをガイドするためのガイド機構とを備えている。
【００３４】
フィルム押さえ機構およびガイド機構の構成を以下に説明する。写真フィルムが挿入される共通巻き取り部Ｍの入口には、第１ローラ５１および第２ローラ５２が設けられている。第１ローラ５１は、軸芯５１ａ回りに回転可能な支持部材５４により、回転自在に支持され、かつ、不図示のスプリングによりドラム５０に圧接する方向に付勢されている。第２ローラ５２は、軸芯５２ａ回りに回転可能な支持部材５５により、回転自在に支持されている。また、同じく軸芯５２ａ回りに回転可能な支持部材５６に第３ローラ５３が回転自在に支持されている。第３ローラ５３も不図示のスプリングによりドラム５０に圧接する方向に付勢されている。更に、挿入されてきた写真フィルムをガイドするために、ガイド面５７がドラム５０の外径と同心円状に形成されている。
【００３５】
このようなフィルム押さえ機構およびガイド機構を設けることで、共通巻き取り部Ｍに挿入されてきた写真フィルムを確実にドラム５０に巻き付けていくことができる。なお、第２ローラ５２および第３ローラ５３はフィルム幅方向の複数箇所に設けられており、これに対応する支持部材５５、５６もフィルム幅方向の複数箇所に設けられる。これらの個数は適宜設定することができ、好ましくは２〜４箇所である。
【００３６】
フィルム挿入口３０に挿入された写真フィルムは、搬送経路Ｒ１に沿って図３右側から搬送され、プレスキャニングされた後に共通巻き取り部Ｍに収容される。本実施形態では、共通巻き取り部Ｍに収容された写真フィルムの端部が、パーフォレーションセンサー２０より経路終端側の経路上に配されるように制御される。即ち、搬送ローラ対３１を駆動する電動モータ（パルスモータ）は、不図示の制御装置によって制御されており、搬送経路Ｒ１途上に設けられた不図示の端部検出センサーが検出した写真フィルムの端部の位置を基準として、その端部がパーフォレーションセンサー２０より経路終端側の経路上（例えば、符号２１で示す位置）に位置するように、電動モータに駆動パルスが供給される。
【００３７】
図４は、下部本体３５ａに対して上部本体３５ｂを閉じた状態における搬送経路Ｒ１の断面図であり、図３のｂ−ｂ矢視断面に相当する。図４に示すように、搬送経路Ｒ１の幅方向中央部にはコマ画像の接触を避けるため上下に凹部３２、３３が形成されており、その幅方向端部には写真フィルムＦの上下方向の動きを規制するためガイド隙間３４が形成されている。ガイド隙間３４の間隔ｄは０．８〜１．０ｍｍが好ましく、より好ましくは０．８ｍｍである。間隔ｄが０．８ｍｍ未満であると、上述の現像処理時の作業において貼付されたスプライステープが写真フィルムＦに残存している場合に搬送が阻害されるため好ましくない。また、間隔ｄが１．０ｍｍを超えると写真フィルムＦの上下方向の動きを規制する効果が小さくなるため好ましくない。
【００３８】
パーフォレーションセンサー２０は、上述したように、下部本体３５ａに設けられた発光部２２と、上部本体３５ｂに設けられた受光部２３とから構成されており、その光軸２４が搬送経路Ｒ１の幅方向に対して傾斜するように設けられている。しかしながら、光軸２４が傾斜している場合に、写真フィルムＦが乳剤面を内側にカール（クロスカール）していると、図６に示すようにパーフォレーションＰＦの端部によって光軸２４が遮られ易くなる。そこで、本発明では、図４に示すように、写真フィルムＦのベース面に対向する搬送経路Ｒ１の幅方向中央部にコロ２５（前記矯正部材に相当する。）が突設されている。これにより、カールした写真フィルムＦの姿勢が矯正され、パーフォレーションＰＦを適切に検出することができる。また、コロ２５は写真フィルムＦの搬送に従動して回動可能に構成されている。コロ２５の素材は特に限定されないが、写真フィルムＦを傷付けないために当接面が軟質ゴムで形成されたものが好ましい。コロ２５は、パーフォレーションセンサー２０の搬送経路Ｒ１の幅方向内側に設けられるものが好ましいが、フィルム搬送方向にずれていても構わない。
【００３９】
図５は、フィルム幅方向視におけるガイド隙間３４の断面図であり、矢印Ｃがフィルム搬送方向に相当する。パーフォレーションセンサー２０の経路始端側および経路終端側の少なくとも一方には、図５に示すようなガイドブロック２６が設けられている。ガイドブロック２６は上部本体３５ｂに設けられ、スプリング２７により写真フィルムＦ側に付勢されている。即ち、写真フィルムＦを下部本体３５ａ側にガイドしながら、スプライステープが貼付された写真フィルムＦを搬送する際は、ガイドブロック２６が上部本体３５ｂ側に移動して、写真フィルムＦの搬送が好適に行われる。
【００４０】
［他の実施形態］
（１）前述の実施形態では、写真フィルムに形成されたコマ画像を読み取るためにフィルム搬送ユニットが用いられる例を示したが、本発明はこれに限られず、コマ画像を写真感光材料（ペーパー）に投影露光するために用いられるものでもよい。
【００４１】
（２）本発明に係るフィルム搬送ユニットは、前述の実施形態で示したような、２種類の写真フィルムからコマ画像を読み取るために２つの搬送経路を備えたものに限られない。また、パーフォレーションセンサーは透過型センサーに限られず、反射型センサーであってもよい。更に、パーフォレーションセンサーを搬送経路の幅方向両側に設けるにあたり、それらをフィルム搬送方向にずらして配置するものでも構わない。
【図面の簡単な説明】
【００４２】
【図１】写真処理システムの構成を示す模式図
【図２】フィルム搬送ユニットの平面図
【図３】共通巻き取り部および搬送経路の模式図
【図４】搬送経路の断面図
【図５】フィルム幅方向視におけるガイド隙間の断面図
【図６】ガイド隙間の拡大断面図
【図７】従来のフィルム搬送ユニットの部分平面図
【図８】カットが導入された写真フィルムの平面図
【図９】写真フィルムが接続されたリーダーを示す図
【符号の説明】
【００４３】
１      画像読取装置
４      フィルム搬送ユニット
２０    パーフォレーションセンサー
２４    光軸
２５    コロ
３５    可動搬送ユニット
５０    巻き取り用ドラム
ＣＵ    カット
Ｆ      写真フィルム
Ｋ１    開口部
Ｋ２    開口部
Ｍ      共通巻き取り部
Ｐ      パーフォレーション
ＰＲ    プリンタプロセッサー
Ｒ１    搬送経路
Ｒ２    搬送経路
Ｓ      隙間
【図１】
2005275317.tif 000003
【図２】
2005275317.tif 000004
【図３】
2005275317.tif 000005
【図４】
2005275317.tif 000006
【図５】
2005275317.tif 000007
【図６】
2005275317.tif 000008
【図７】
2005275317.tif 000009
【図８】
2005275317.tif 000010
【図９】
2005275317.tif 000011